(57)【特許請求の範囲】
【請求項１】
フェーズロックドループを有する周波数シンセサイザは、
電圧制御型発振器と位相／周波数比較器との間に接続された、整数分周比をもつ周波数分周器と、
分数部分をもつ結果的な平均分周比を得るように、連続した少なくとも２つの整数値の間で分周比を切り替える前記周波数分周器に接続され、分数部分の調整指示を受信するのに適した少なくとも一つの入力端子を有するシグマ−デルタ変調器と、
固定の分数分周比をもち、電圧制御型発振器と整数分周比をもつ周波数分周器との間に接続される少なくとも一つの周波数分周器と、
平均分周比の分数部分が少なくとも所定の値の範囲内に含まれるときに、前記固定の分数分周比をもつ前記周波数分周器を活性化し、分数部分の調整指示を変更する手段と、を備えることを特徴とする周波数シンセサイザ。
【請求項２】
固定の分数分周比が１＋εで、所定の値の範囲の分数部分（ｋ）は、０＜ｋ＜ε／２と１−ε／２＜ｋ＜１の関係を満たし、εは０と１の間に制限される値であることを特徴とする請求項１に記載の周波数シンセサイザ。
【請求項３】
ε＝０．５であることを特徴とする請求項２に記載の周波数シンセサイザ。
【請求項４】
前記固定の分数分周比をもつ前記周波数分周器を活性化し、シグマ−デルタ変調器の分数部分の調整指示を変更する手段は、前記固定の分数分周比をもつ前記周波数分周器を活性化または非活性化する分数分周比をもち、この周波数分周器に接続された分周比演算器を有することを特徴とする請求項１に記載の周波数シンセサイザ。
【請求項５】
シグマ−デルタ変調器は、２段構成の変調器であることを特徴とする請求項１に記載の周波数シンセサイザ。
【請求項６】
シグマ−デルタ変調器に供給された調整指示の最小ビットの値を１に設定する手段をさらに有することを特徴とする請求項１に記載の周波数シンセサイザ。
【請求項７】
フェーズロックド・シンセサイザにより周波数を合成する方法において、
電圧制御型発振器と位相周波数比較器との間に接続され、整数分周比をもつ周波数分周器と、
分数部分の調整指示用の入力端子をもち、分数部分をもつ結果的な平均分周比を得るように、連続した少なくとも２つの整数値の間で周波数分周器の分周比を切り替える周波数分周器に接続されたシグマ−デルタ変調器と、
電圧制御型発振器と整数分周比をもつ周波数分周器との間に接続された、固定の分数分周比をもつ少なくとも一つの周波数分周器と、を備え、
分数分周比をもつ前記周波数分周器は、分周比の分数部分（ｋ）が少なくとも所定値の範囲内に含まれ、対応する手法でシグマ−デルタ変調器の分数部分の調整指示が平均分周比を変えないように変更されるとき、分数分周比をもつ前記周波数分周器が活性化されることを特徴とする方法。
【請求項８】
分周比の分数部分ｋが０＜ｋ＜ε／２または１−ε／２＜ｋ＜１のとき、分数分周比をもつ前記周波数分周器が活性化され、分周比の分数部分ｋがε／２≦ｋ≦１−ε／２のとき、分数分周比をもつ前記周波数分周器は非活性化されることを特徴とする請求項７に記載の方法。
【請求項９】
新規の調整指示ｋ'は、０＜ｋ＜ε／２のとき、ｋ'＝ｋ＋εをもつシグマ−デルタ変調器に供給され、１−ε＜ｋ＜１のとき、ｋ'＝ｋ−εをもつシグマ−デルタ変調器に供給されることを特徴とする請求項８に記載の方法。
【請求項１０】
変換されるべき周波数をもつ信号を供給する第１の信号源に接続される第１の入力端子をもつミキサと、基準周波数をもつ第２の信号源と、を備え、第２の信号源は、ミキサの第２の入力端子に接続される周波数変換器であって、
基準周波数をもつ第２の信号源は、請求項１の周波数シンセサイザを有することを特徴とする周波数変換器。
【請求項１１】
携帯電話に使用されることを特徴とする請求項１０に記載の周波数変換器。
【発明の詳細な説明】
【０００１】
【発明の属する技術分野】
本発明は、周波数シンセサイザと低雑音周波数合成方法に関する。
【０００２】
本発明は特に、出力周波数が整数値や分数値で調整可能な周波数シンセサイザに関する。
【０００３】
この種の周波数シンセサイザは、各種の無線回路、特にこれら回路の受信段および／または送信段で用いられうる。一例として、本発明の周波数シンセサイザは、携帯電話等の無線電話装置に用いられうる。
【０００４】
【従来の技術】
添付された図１および図２は、整数値で調整可能な周波数シンセサイザと分数値で調整可能な周波数シンセサイザを示している。分数値で調整可能な周波数シンセサイザは、周波数が基準周波数の整数値か非整数倍により調整可能な周波数シンセサイザであると理解される。この種の装置自体は公知であり、例えば、以下の文献（１）、（２）および（３）に図示されている。
(1) EP-B-0 661 816
(2) EP-A-0 563 400
(3) トーマス・スティチェルボルトによる「デルタ−シグマ変調を用いた分数Ｎ Ｐ１１」、アルボルグ大学、1997年８月５日、１〜２１ページ
図１は、フェーズロックドループ１０の周囲に構成される周波数シンセサイザの基本構成を示している。フェーズロックドループは、基本的には、電圧制御発振器１２と、周波数分周器１４と、位相周波数比較器１６と、ループフィルタ１８とを有する。
【０００５】
後述する記載ではＶＣＯ発振器としても参照される電圧制御発振器１２は、その入力端子に供給された制御電圧の関数として、その周波数が増減されない出力電圧を供給する。この制御電圧は、ループフィルタ１８を介してＶＣＯ発振器１２の入力端子に接続される位相周波数比較器１６により生成される。
【０００６】
位相周波数比較器１６は、周波数分周器１４により供給される信号の周波数（または位相）を、図の例では水晶発振器２０にて供給される基準信号の周波数と比較する。周波数分周器により供給された信号の周波数が基準信号の周波数よりも低いとき、位相周波数比較器は、ＶＣＯ発振器１２の周波数が増大されるべきであることを示す電圧をループフィルタ１８とともに生成する。逆に、ＶＣＯ発振器の周波数は、周波数分周器により供給される信号の周波数が基準信号の周波数より高いときに減少される。
【０００７】
周波数分周器１４は、ある数のフリップフロップで構成され、整数値によってのみＶＣＯ発振器１２の信号周波数を分周することができる。整数値により調整可能な分周比は、Ｎとして参照される整数である。矢印２２で示される調整入力は、値Ｎを固定にすることができる。
【０００８】
ＦVCOとして参照される、ＶＣＯ発振器の周波数は、以下の式で表される。
ＦVCO＝Ｎ＊Ｆref
ここで、Ｆrefは水晶発振器２０により供給される基準信号の周波数である。
【０００９】
分周比Ｎの値（整数）を単位とする変更は、ＶＣＯ発振器の周波数Ｆrefに等しい変更を引き起こす。したがって、ＶＣＯ発振器１２の周波数をＦrefより高い解像度で調整することは不可能である。基準信号の周波数が比較的高い場合には、この解像度は不十分になりうる。
【００１０】
ループ１０の出力信号の周波数、すなわちＶＣＯ発振器１２により供給される信号の周波数の微調整は、図２に示す周波数シンセサイザにより得られる。
【００１１】
図２に示す周波数シンセサイザは、図１のループ１０と同様の構成要素を有するフェーズロックドループ１０を備えている。
【００１２】
一方、周波数分周器１４は、分周比の値Ｎを固定にする調整入力端子２２だけでなく、値Ｎの付近の２つ以上の連続値の間で分周比を切り替える切替入力端子２４を有する。図２の例では、周波数分周器１４の切替入力端子２４は、２つの値Ｎ，Ｎ＋１で分周比を切り替えることができる。
【００１３】
切替回路２４は、シグマ−デルタ変調器３０、より正確には、この変調器のオーバーフロー・キャリー端子３２に接続されている。
【００１４】
図の例において、シグマ−デルタ変調器３０は、ワードアダー３１をもつ第１段のデジタル変調器であり、その変調器は、Ｋとして参照される調整指示用の第１のデジタル入力端子３４を有する。調整指示は、変調器のシフトレジスタ３６により供給されるデジタル値に重畳される。レジスタ３６は、周波数分周器１４の出力信号によりクロックされ、ワードアダー３１の出力信号を受信する。レジスタ３６は、アダーの第２のデジタル入力端子３８に接続される。調整指示とレジスタ３６の出力との和がアダー３１のデジタル容量より低いとき、オーバーフロー・キャリーは例えば論理０になる。一方、その和がアダー３１の容量より大きいとき、オーバーフロー・キャリーはその場合において相補的な論理１の値になる。
【００１５】
周波数分周器１４は、切替入力端子２４が第１の論理状態を受信するとき第１の分周比をもつ周波数分周を行い、その入力端子２４が第２の切替状態を受信するとき＋／−１とは異なる第２の分周比をもつ周波数分周を行う。
【００１６】
上述した例では、分周比は論理０状態用のＮと論理１状態用のＮ＋１である。
【００１７】
どんな場合でも周波数分周器の分周比は整数であるが、ＮとＮ＋１間の比を繰り返し切り替えることで、結果的にこれら２つの値で構成される平均分周比、すなわち非整数比を得ることができる。
【００１８】
より正確には、以下の式で表される。
【数１】
0004900753.tif 000002
【００１９】
すなわち、以下の式で表される。
【数２】
0004900753.tif 000003
これらの式において、ＴNとＴN+1はそれぞれ、分周比がＮとＮ＋１に等しい期間である。
【００２０】
シグマ−デルタ変調器の第１の入力端子３４に供給される調整指示ＫがＬビットでコード化され、アダーの最大容量が２L−１であると仮定すると、Ｋ／２Lに等しい分周比の分数部分が定義されうる。分数部分Ｋ／２Lはまた本明細書の後述部分ではｋとして参照される。したがって、以下の式のようになる。
【数３】
0004900753.tif 000004
調整指示が小さい値（Ｋ＝約０）のとき、出力周波数はＦref*(N)に近くなり、調整指示が大きい値（Ｋ＝約２L）のとき、出力周波数はＦref*(N+1)に近くなる。
【００２１】
したがって、周波数分周器１４の調整入力端子２２に供給される分周比Ｎの選択とシグマ−デルタ変調器に供給される調整指示Ｋの選択とにより定まる２つの値でフェーズロックドループの周波数を連続的に調整することができる。
【００２２】
図２によるフェーズロックドループを用いた周波数シンセサイザの出力のスペクトラル分析は、周波数ＦVCOに対応する中心線の周囲のノイズ構成要素の配置を示している。ノイズは、フェーズロックドループの各種構成要素とシグマ−デルタ変調器に起因する。
【００２３】
上述した文献（３）により示唆されているように、図２に示された一段構成のシグマ−デルタ変調器を、種々の縦続段をもつシグマ−デルタ変調器により、特に２段構成のシグマ−デルタ変調器により置き換えることができる。（２番目の順序の）２段構成のシグマ−デルタ変調器は、ノイズの少なくとも一部を高周波に移行することにより、より望ましい形態のノイズの周波数分配を可能にする。複数段で強調されるこの現象は「ノイズシェーピング」と呼ばれる。
【００２４】
しかしながら、本出願人は、寄生的な第２ラインに起因する他のノイズ源のデモンストレーションを提供した。これらの第２ラインは、特にある値の調整指示Ｋとして見える。
【００２５】
【課題を解決するための手段】
上述したように、分数部分をもつ平均分周比を得るために、整数分周比をもつ周波数分周器の分周比は、２以上の一般的には連続した整数値の間で切り替えられる。ｋが分数部分、Ｎが整数部分としたとき、平均分周比はＮ＋ｋであり、例えばＮとＮ＋１の間で切替が行われる。
【００２６】
Ｎ＋ｋがＮかＮ＋１に近いとき、すなわち分数部分ｋが０または１に近いとき、整数の分周比の値ＮかＮ＋１の一つが切替の組における他方に関して非常に支配的になる。図により、ｋが０に近いとき、すなわちＮ＋ｋ＝約Ｎのとき、分周比Ｎが切替時に頻繁に選択され、Ｎ＋１はめったに選択されない。
【００２７】
本出願人は、めったに選択されない１か他の整数分周比を犠牲にして、同じ整数分周比を頻繁に繰り返すと、周波数シンセサイザのスペクトラル応答において寄生ラインにより明らかにされるノイズにもなることを証明した。
【００２８】
本発明の主要な目的は、ある分周比を過度に繰り返すことにより発生されるノイズを除去することである。
【００２９】
この目的を達成するため、本発明に係るフェーズロックドループを有する周波数シンセサイザは、
電圧制御型発振器と位相／周波数比較器との間に接続された、整数分周比をもつ周波数分周器と、
分数部分をもつ結果的な平均分周比を得るように、連続した少なくとも２つの整数値の間で周波数分周器の分周比を切り替える周波数分周器に接続され、分数部分の調整指示を受信するのに適した少なくとも一つの入力端子を有するシグマ−デルタ変調器と、
固定の分数分周比をもち、電圧制御型発振器と整数分周比をもつ周波数分周器との間に接続された少なくとも一つの周波数分周器と、
平均分周比の分数部分が少なくとも所定の値の範囲内に含まれるときに分数分周比をもつ分周器を活性化し、分数部分の調整指示を変更する手段と、を備える。
【００３０】
調整指示の変更は、分数部分がある値の範囲内にないように分数部分を変えることを目的とすることに気づくべきである。その結果は、第１の周波数分周比の平均分周比の変更である。しかしながら、グローバルな分周比と呼ばれる、新規な分周比と第２の分周器の分周比の和は、平均分周比に等しくなるように維持されるのが望ましい。その分周比は、調整指示を変えることなく、第２の周波数分周器を非アクティブにさせることにより得られる。
【００３１】
ある分周比を得ることは、実際には、整数の分周比の選択により指示され、その分周比の間で整数分周比の分周器は切り替わり、調整指示により分数部分を選択する。これは、シグマ−デルタ変調器に影響し、整数値の間での切り替えの繰り返し回数の大小を決める。これは、従来のシンセサイザの場合と、分数分周比分周器が活性化されなかったときの本発明によるシンセサイザの場合とである。その場合、ある分周比が得られ、その分周比は上述した平均比である。
【００３２】
分数分周比分周器を活性化することにより、整数比分周器と分数比分周器を介して得られたグローバルな分周比は、付加的な分周段が信号に影響するので、公知例が変更される。
【００３３】
しかしながら、上述したように、調整指示と切替が行われる整数分周比の最適な変更により、上述した平均分周比に等しいグローバルな分周比が維持される。
【００３４】
調整指示の変更は、整数分周比の繰り返しサイクルを変更させ、応答スペクトラムにおける寄生ラインを除去させる。
【００３５】
特に、分数分周比が１＋εである本発明のある実施形態において、分数分周比分周器が活性化される分数部分（ｋ）の所定値の範囲は、０＜ε＜１であるεを用いて、０＜ｋ＜ε／２と１−ε／２＜ｋ＜１を満たすものである。
【００３６】
一般的な手法において、分数分周比周波数分周器は、分数部分が０か１に近いとき活性化され、それ以外で非活性化されるのが望ましいことを考慮すべきである。例えば、分数部分ｋの値の範囲０＜ｋ＜０．２５と０．７５＜ｋ＜１が分数分周比周波数分周器の活性範囲に対応するかもしれない。これは、例えばε＝０．５に対応する。
【００３７】
分数分周比周波数分周器の活性化は、上述したように、シグマ−デルタ変調器に接続された整数分周比周波数分周器により得られる平均分周比の分数部分を変更させる。
【００３８】
上述した例に戻って、１．５による付加的な分割がなされたとき、所望の平均分周比の分数部分に０．５を加えて限定する。
【００３９】
このように、０．７５＜ｋ＜１と仮定すると、次式が得られる。
Ｎ＋ｋ＝Ｎ＋０．５＋ｋ’
この式において、新規な分数部分ｋ’は、０．２５≦ｋ’≦０．７５を満たす。
【００４０】
同様に、０＜ｋ＜０．２５と仮定すると、次式が得られる。
Ｎ＋ｋ＝Ｎ−１＋０．５＋ｋ’
ただし、０．２５≦ｋ’≦０．７５である。
【００４１】
すなわち、シグマ−デルタ変調器に接続される整数分周比周波数分周器により生成されなければならない新規の分数部分は、分周比、例えばN-1,N,N+1またはN-1,Nの間でよりバランスの取れた変更を許容する。これにより、寄生ラインが避けられる。
【００４２】
本発明の最良の形態では、シンセサイザはシグマ−デルタ変調器に供給される調整指示の最小ビットの値を１にセットする手段をさらに有する。
【００４３】
本出願人は、実際に第２の現象に気づいた。この第２の現象では、論理値の通常の繰り返しは、例えば110011001100であり、少量の寄生ラインになる。これらのラインの振幅は、比較的高い。この現象は、調整指示Ｋの値が偶数のときに行われる。
【００４４】
一方、調整指示Ｋの値が奇数のとき、パターンの繰り返しはまったく通常通りであるが、そのパターンは非常に長くなる。ノイズのエネルギーは、連続体に似た小振幅をもつ多くの寄生ラインに分配される。しかしながら、個別に選択されたラインの振幅は非常に小さく、結果的に、周波数シンセサイザの他の要素のノイズの中に消えてしまう。
【００４５】
より正確な手法において、寄生周波数の値は、次の関係により与えられうる。
【数４】
0004900753.tif 000005
この式において、Ｆspurは寄生ラインが戻る周波数を示し、ＭはＬビットでコード化された数Ｋを２で割ることができる回数を示し、０はシグマ−デルタ変調器のオーダーを示す。
【００４６】
調整指示の最小ビットの値を１に固定することは、その値を奇数にするように限定する。これは、周波数の連続体に対してノイズのエネルギーを分散させる。個別に取られたこれらの周波数のそれぞれに対して、ノイズの振幅は結果的に非常に低い。発振中心周波数の外側では、周波数応答スペクトラムには寄生ラインは現れない。
【００４７】
すべての細部において、最小ビットの変更はユーザにより望まれた指示値Ｋの変更とフェーズロックドループの発振周波数の変更を引き起こす。しかしながら、シグマ−デルタ変調器に実際に適用されたセット値のエラーは、１／２Lに限定され、無知覚の周波数変化になる。図示されたように、２４ビット（Ｌ＝２４）以上のコードに対して、エラーは１／２24（＜１０-7）である。
【００４８】
本発明はまた、フェーズロックド・シンセサイザにより周波数を合成する方法において、
電圧制御型発振器と位相周波数比較器との間に接続され、整数分周比をもつ周波数分周器と、
分数部分の調整指示用の入力端子をもち、分数部分をもつ結果的な平均分周比を得るように、連続した少なくとも２つの整数値の間で周波数分周器の分周比を切り替える周波数分周器に接続されたシグマ−デルタ変調器と、
電圧制御型発振器と整数分周比をもつ周波数分周器との間に接続された、固定の分数分周比をもつ少なくとも一つの周波数分周器と、を備える。
【００４９】
本発明の方法によれば、分数分周比をもつ前記周波数分周器は、分周比の分数部分（ｋ）が少なくとも所定値の範囲内にあり、対応する手法でシグマ−デルタ変調器の分数部分の調整指示が平均分周比に等しい第１および第２の分周器のグローバルな分周比を得るために変更されるときに活性化される。
【００５０】
本発明はまた、第１の入力端子をもつミキサを有する周波数変換器に関する。この周波数変換器は、変換されるべき周波数をもつ信号を供給する信号源に接続される。この周波数変換器は、第２の入力端子に接続され、基準周波数をもつ信号源をさらに有する。本発明によれば、基準周波数をもつ信号源は、上述した周波数シンセサイザを有する。この種の周波数シンセサイザは、携帯電話で利用されるのが特に望ましい。
【００５１】
本発明の他の特徴や効果は、後述する記載に含まれ、添付された図面が参照される。この記載は、図示されるか、あるいは図示されないものもある。
【００５２】
【発明の実施の形態】
ここで開示される図面の要素は、先行する図面中の対応する要素と同じか、類似か、均等であり、これら要素はリファレンスとして参照され、詳細な説明は再度繰り返さない。
【００５３】
図３はフェーズロックドループ１０の周囲に構成される周波数シンセサイザを示している。そのフェーズロックドループ１０は、電圧制御型発振器１２と、周波数分周器１４と、位相周波数比較器１６と、ローパスフィルタ１８とを有する。
【００５４】
周波数分周器１４は、供給された信号の周波数を整数で分周可能なプログラム可能な分周器である。周波数分周器１４は、シグマ−デルタ変調器３０により供給された信号の関数として、分周比Ｎを制御する分周比演算器４０に接続されている。
【００５５】
より正確には、シグマ−デルタ変調器により制御される演算器４０は、平均分数比を分数部分で得るために、２以上の連続した整数値（または非連続の値）の間での分周比の切り替えを制御可能である。この比は、「平均」の比として参照される。
【００５６】
追加された周波数分周器１００は、電圧制御型発振器（ＶＣＯ）１２と整数の分周比をもつ周波数分周器１４との間に接続される。この追加された周波数分周器１００は、分数だが固定の分周比をもつ周波数分周器である。上述した例において、固定の分周比は１．５である。これは、上述した記載を参照すると、ε＝０．５に対応する。このように、追加された分周器は、活性化したときに受信信号の周波数を１．５（すなわち１＋ε）で分周するか、非活性のときに信号経路を変えさせない。この場合、分周比は１で分周した場合と同じである。分周器１００は、異なる分数分周比をもつ分周器か、互いに接続された２以上の連続した分数分周器で置き換えることができる。
【００５７】
シグマ−デルタ変調器に接続され、整数の分周比をもつ分周器１４により生成される平均分周比の分数部分ｋは、次式の関係により調整指示Ｋと関連づけられる。
Ｋ＝ｋ／２L、またはＫ＝２L＊ｋ
Ｌは、指示Ｋがコード化されるビット数であることに注意されたい。
【００５８】
回路段または演算器（不図示）は、整数部分Ｎと平均分周比の分数部分ｋを所望の発振周波数の関数として決定するために設けられる。従来の装置でも用いられるこの種の段は、周波数シンセサイザの一部を形成しない。
【００５９】
値Ｎとｋ（またはＫ）は、ｋが値０または１に近すぎないか否か、すなわち、Ｋは値０または２Lに近すぎないか否かを検証するために設けられる演算器１２０に送信される。上述した例において、次の関係が検証されるとき、ｋが０か１に近すぎないと考えられる。
【００６０】
０．２５≦ｋ≦０．７５、すなわちε／２≦ｋ≦１−ε／２（ε＝０．５）演算器１２０は、図３ですでに述べられたように、シグマ−デルタ変調器３０と分周比演算器４０に接続される。演算器１２０は、新規な値Ｎ'とＫ'（またはｋ'）を送信する。
【００６１】
表１は、ｋの関数として、値Ｎ'とＫ'を決定する一般的なルールを要約したものである。
【００６２】
【表１】
0004900753.tif 000006
この表からわかるように、Ｎ'は整数値である必要はないが、Ｎはその必要がある。バイナリのコードセットを介して、Ｎ'の式を整数のデジタル値に減らすことができることが指摘されなければならない。
【００６３】
分周比演算器４０は、分周器１４に接続される。この分周器１４は、上述した手法でシグマ−デルタ変換器により受信された信号中の一連の整数分周比を課するために、整数の分周比をもっている。
【００６４】
シグマ−デルタ変換器が新規の調整指示を受信するとき、その変換器は分周器１４の一連の整数分周比を制御し、分周器１４の中では、（整数の）分周比を過度には繰り返さない。
【００６５】
整数の分周比は、例えば、値ＰとＰ＋１の間で切り替わる。または、変形例として、値P-1,P,P+1,P+2の間でも切り替わる。この点で、この明細書の後の方で示される表２が参照されうる。
【００６６】
分周比P-1,P,P+1,P+2は、シグマ−デルタ変調器の出力関数として、およびＮ'の整数部分の関数、すなわちＮの関数として演算器４０で決定される。
【００６７】
分周比演算器４０はまた、分数分周比をもつ分周器１００の活性化または非活性化を制御する。Ｎが（例えば6ビットでコード化された）デジタル値である特定の場合において、最小ビットは分数分周比をもつ周波数分周器の活性化（または非活性化）のために用いられ、他のビット（最大ビット）は上述したＰの値を決定するために用いられる。
【００６８】
表２は以後、ｋの値、Ｎの関数としてのＰの値と分数分周比をもつ分周器１００の活性状態に依存して表２に関連付けて読まれるべきである。表２において、ＰとＮは整数値である。
【００６９】
【表２】
0004900753.tif 000007
表２の第１行に関して、Ｎから量を「引く」ことは不可能だけでなく、Ｎに量を加えることも不可能であることに注意されたい。このように、Ｎ−εは(N-1)+(1-ε)に対応する。量(N-1)は新規な整数部分である。さらに、εは１より小さいので、(1-ε)は正の値である。
【００７０】
分数分周比をもつ分周器１００の活性化のおかげで、表１の指示が用いられるとき、２つの分周器１４，１００により得られたグローバルな分周比を変えることなく、すなわち周波数シンセサイザの出力周波数を変えることなく、そのスペクトラル応答において寄生ノイズを完全に除去することが可能である。
【００７１】
図３に示されているように、シグマ−デルタ変調器３０は、Ｋ'で示す指示を受け取る演算器１２０に接続された第１の入力端子３２とフリップフロップ５２に接続された第２の入力端子５０とを有する。
【００７２】
フリップフロップ５２は、１ビットでコード化され、論理１の値にロックされるフリップフロップである。
【００７３】
論理１の値は、指示Ｋ'用の最小ビットの置き換えか、１を最小ビットとしてより大きなビットとしてＫ'の値を含む新規な調整指示の形成のいずれかに用いられる。
【００７４】
これは、特にｋ'が多くのビットでコード化されるとき、最後に得られた分周比をかなり変えることなしに奇数の指示で配置することを許容する。
【００７５】
このように、分周比の短い繰り返しパターンから生じる寄生ラインはまた、さらに離れて動かされる。
【００７６】
図４は図３のシグマ−デルタ変調器の可能な実現方法を示しており、出力端子３２の２ビットでのコード化をよりよく理解させるものである。
【００７７】
図４のシグマ−デルタ変調器は、２つのカスケードされた段を有し、それぞれがワードアダーで構成される。第１のワードアダー６０ａは第１の入力端子６２ａを有し、この入力端子には調整指示Ｋ'が供給され、この指示Ｋ'は奇数である。
【００７８】
第１のワードアダー６０ａの出力６６ａはクロックされたレジスタ７０ａを介して第２の入力６４ａに接続される。クロックされたレジスタ７０ａは、例えば、周波数分周器により供給された分周周波数をもつ信号を介して制御されうる。このように、各パルスにて、出力６６ａで以前に得られた和は第２の入力端子に送り戻される。
【００７９】
和がワードアダーの容量より小さいとき、このワードアダーはオーバーフロー端子６８ａに論理値が０の保持値を供給する。一方、和が論理値の容量より大きければ、１が供給される。この場合、ワードアダーの容量を越えない足し算の余りが出力端子６６ａに供給される。
【００８０】
最後に、オーバーフロー端子６８ａは単一ビットでコード化された論理値を供給する。この論理値は０か１であるかもしれない。
【００８１】
出力６６ａは、第２段のワードアダー６０ｂの第１入力端子６２ｂにも接続される。同様に、このアダーの出力６６ｂはクロックされたレジスタ７０ｂを介して第２の入力端子６４ｂに接続される。
【００８２】
第２段のワードアダー６０ｂはまたオーバーフロー端子６８ｂをもち、その２ビットでコード化された論理出力端子は状態０と１をもつ。
【００８３】
３つの入力端子をもつアダー／減算器７２は、正の入力端子で、２つのワードアダー６０ａ，６０ｂのオーバーフロー端子で利用可能である論理値を受信する。アダー／減算器７２はまた、遅延フリップフロップ７４を介して、第２段のワードアダー６０ｂのオーバーフロー端子のキャリーを負入力端子で受信する。
【００８４】
アダー／減算器の出力７６は、図３を参照して説明された分周比をもつ演算器４０に向けられる。
【００８５】
表３はアダー／減算器７２の出力の値（小数値）を入力値の関数として供給し、分周器１４に課せられた対応する分周比を示している。
【００８６】
【表３】
0004900753.tif 000008
シーケンスが調整指示Ｋ'により示される、上述した種々の分周比による一連の分周比は、ＰとＰ＋１の間の分数の平均分周比である。
【００８７】
図５は分数ファクタをもつ分周器の実現の可能性を示している。この場合、１．５分周の分周器は以前に説明したように関連している。
【００８８】
図５の分周器は、Ｄ入力端子とＱ出力端子をもつ公知のフリップフロップＤ１０２を有する。第２の入力端子は、ｓｗｌで示す同期信号を受信する。フリップフロップ１０２のＱ出力端子は、一端でインバータ１０４を介してＤ入力端子に接続され、他端で第１のラッチゲート１０６の入力端子（ロッキング）に接続される。
【００８９】
第１のラッチゲート１０６の出力端子は一端で第２のラッチゲート１０８の入力端子に接続され、他端でマルチプレクサ１１０の第１の入力端子Ｓ１に接続される。第２のラッチゲート１０８の出力端子は、インバータ１１２を介してマルチプレクサ１１０の第２の入力端子Ｓ２に接続される。ラッチゲート１０６，１０８は、マルチプレクサ１１０と同様に、入力信号ckinにて時間調整される。この入力信号ckinはこの場合、分周されるべき信号である。
【００９０】
マルチプレクサ１１０の出力端子１１４で利用可能なckoutで示す分周信号は、ハイ状態とロー状態との間の過渡的なエッジが除去される入力信号に対応する。
【００９１】
図５の分周器の動作は、図６のタイミング図により説明される。図６は、同じ時間依存性に基づいて、図５の分周器の各部の入出力端子の状態を示している。タイミング図は特に、同期信号ｓｗｌ、フリップフロップD102の出力信号Ｑ、分周するべき入力信号ckin、マルチプレクサの入力端子Ｓ１，Ｓ２に利用可能な信号および分周出力信号ckoutを示している。信号ckinとckoutを比較することにより、入力端子Ｓ１，Ｓ２が同じ論理状態のときに特に、過渡的なエッジはステップごとに除去されることに注意されたい。これらのエッジの除去は、周波数の分周に対応する。
【００９２】
図７は本発明による周波数シンセサイザを周波数変換器の実現、より正確には信号送信機内の周波数変換器に適用した例を示している。
【００９３】
変換器はミキサを有し、ミキサは一方では、変換されるべき信号源、例えばフィルタ２０４に接続されたアンテナ２０２に接続され、他方では処理ユニット２０６に接続される。処理ユニット２０６は周波数が変換された信号を受信する。これは例えば、携帯電話の処理ユニットである。
【００９４】
ミキサ２００はまた、第２の信号源の基準周波数信号を受信する。この基準周波数信号は、例えば、本発明による周波数シンセサイザ１のＶＣＯ発振器１２から送信される。
【図面の簡単な説明】
【図１】不連続な周波数調整を行う公知の周波数シンセサイザの簡略的な原理を示す回路図。
【図２】連続的な周波数調整を行う公知の周波数シンセサイザの簡略的な原理を示す回路図。
【図３】本発明による周波数シンセサイザの簡略的な図。
【図４】図３に示す周波数シンセサイザ用のシグマ−デルタ変調器の特定の実施形態を示す図。
【図５】本発明による周波数シンセサイザに用いられ、固定の分数分周比をもつ周波数分周器を示す図。
【図６】図５の固定の分数分周比をもつ周波数分周器の動作を示すタイミング図。
【図７】本発明による周波数シンセサイザを用いた周波数変換器を示す図。
【符号の説明】
１０  フェーズロックドループ
１２  電圧制御型発振器
１４  周波数分周器
１６  位相周波数比較器
１８  ローパスフィルタ
３０  シグマ−デルタ変調器
４０  分周比演算器
１００  周波数分周器
【図１】
0004900753.tif 000009
【図２】
0004900753.tif 000010
【図３】
0004900753.tif 000011
【図４】
0004900753.tif 000012
【図５】
0004900753.tif 000013
【図６】
0004900753.tif 000014
【図７】
0004900753.tif 000015